(57)【特許請求の範囲】
【請求項１】
ロータリ耕耘部（２）の上方を覆う上部カバー体（１１）を備え、
左右一対の側板（１４Ａ）の前端側及び後端側を前後の連結枠材（１４Ｂ，１４Ｃ）で連結して形成されていて左右の側板（１４Ａ）間及び前後の連結枠材（１４Ｂ，１４Ｃ）間が開口状とされた矩形状の枠体（１４）と、この枠体（１４）の上面側に、該枠体（１４）の開口を塞ぐように設けられた上板（１６）と、前記枠体（１４）の下面側に、該枠体（１４）の開口を塞ぐように設けられた弾性カバー（１８）とから前記上部カバー体（１１）を構成し、
前記上板（１６）をプラスチックの板材又は薄厚の金属板によって形成し、
前記上板（１６）及び弾性カバー（１８）を前後の連結枠材（１４Ｂ，１４Ｃ）で支持し、
前記上板（１６）の前後方向中途部に、前後の連結部材（１４Ｂ，１４Ｃ）と前後方向において間隔をあけて形成された取付部（３５）を左右方向に間隔をおいて複数設け、
この取付部（３５）は、上板（１６）自体を下面側に凹ませることにより形成されていると共に前後方向に長く形成され、
この取付部（３５）の底壁（３５ａ）下面に弾性カバー（１８）を重ね合わせると共に該底壁（３５ａ）に弾性カバー（１８）を前後２箇所で取り付けていることを特徴とするロータリ耕耘機。
【請求項２】
ロータリ耕耘部（２）の後方を覆う後部カバー体（１２）を備え、
左右一対の側板（１５Ａ）の前端側及び後端側を前後の連結枠材（１５Ｂ，１５Ｃ）で連結して形成されていて左右の側板（１５Ａ）間及び前後の連結枠材（１５Ｂ，１５Ｃ）間が開口状とされた矩形状の枠体（１５）と、この枠体（１５）の上面側に、該枠体（１５）の開口を塞ぐように設けられた上板（１７）と、前記枠体（１５）の下面側に、該枠体（１５）の開口を塞ぐように設けられた弾性カバー（１９）とから前記後部カバー体（１２）を構成し、
この後部カバー体（１２）において、上板（１７）は前後の連結枠材（１４Ｂ，１４Ｃ）で支持されると共に、弾性カバー（１９）は前側の連結枠材（１５Ｂ）と上板（１７）とで支持され、且つ前記後側の連結枠材（１５Ｃ）の下面が圃場に接地する整地面（３４）とされていることを特徴とする請求項１に記載のロータリ耕耘機。
【発明の詳細な説明】
【技術分野】
【０００１】
本発明は、ロータリ耕耘部の上方を覆う上部カバー体を有するロータリ耕耘機に関するものである。
【背景技術】
【０００２】
従来、ロータリ耕耘機にあっては、ロータリ耕耘部の少なくとも外周側を覆うロータリカバーを備えており、このロータリカバーは、ロータリ耕耘部の上方を覆う上部カバー体と、この上部カバー体の後端側に左右軸廻りに回動自在に枢支連結されていてロータリ耕耘部の後方を覆う後部カバー体とを備えている。
前記カバー体として、板金で形成した本体部の下面側に泥付着防止のためにゴム製の弾性カバーが設けられているものがあるが、本体部を板金によって形成すると、板厚を強度の必要な所の板厚に合わせるために重量が重く動力ロス等の問題が生じる。
【０００３】
そこで、泥付着防止とカバー体の重量軽減とを図ったロータリカバーがある（特許文献１参照）。
このロータリカバーのカバー体にあっては、本体部が、板厚の薄い鋼板からなる左右の縁枠部を備えると共に、板厚の薄い鋼板からなる桟枠部を格子状に組んで左右の縁枠部を連結してなり、弾性カバーは該本体部の下面側に配置されて桟枠部に取り付けられている。
【特許文献１】実公昭５７−１６８４号公報
【発明の開示】
【発明が解決しようとする課題】
【０００４】
前記従来のものにあっては、弾性カバーが格子状に組まれた桟枠部に取り付けられて支持されているので、弾性カバーの取付部分での振動があまりなく、該取付部分で弾性カバーに土付着が多いという問題がある。
そこで、本発明は、前記問題点に鑑みて、軽量化を図ると共に、土付着防止効果を向上させた上部カバー体を有するロータリ耕耘機を提供することを目的とする。
【課題を解決するための手段】
【０００５】
前記技術的課題を解決するために本発明が講じた技術的手段は、ロータリ耕耘部の上方を覆う上部カバー体を備え、
左右一対の側板の前端側及び後端側を前後の連結枠材で連結して形成されていて左右の側板間及び前後の連結枠材間が開口状とされた矩形状の枠体と、この枠体の上面側に、該枠体の開口を塞ぐように設けられた上板と、前記枠体の下面側に、該枠体の開口を塞ぐように設けられた弾性カバーとから前記上部カバー体を構成し、
前記上板をプラスチックの板材又は薄厚の金属板によって形成し、
前記上板及び弾性カバーを前後の連結枠材で支持し、
前記上板の前後方向中途部に、前後の連結部材と前後方向において間隔をあけて形成された取付部を左右方向に間隔をおいて複数設け、
この取付部は、上板自体を下面側に凹ませることにより形成されていると共に前後方向に長く形成され、
この取付部の底壁下面に弾性カバーを重ね合わせると共に該底壁に弾性カバーを前後２箇所で取り付けていることを特徴とする。
【０００６】
また、ロータリ耕耘部の後方を覆う後部カバー体を備え、
左右一対の側板の前端側及び後端側を前後の連結枠材で連結して形成されていて左右の側板間及び前後の連結枠材間が開口状とされた矩形状の枠体と、この枠体の上面側に、該枠体の開口を塞ぐように設けられた上板と、前記枠体の下面側に、該枠体の開口を塞ぐように設けられた弾性カバーとから前記後部カバー体を構成し、
この後部カバー体において、上板は前後の連結枠材で支持されると共に、弾性カバーは前側の連結枠材と上板とで支持され、且つ前記後側の連結枠材の下面が圃場に接地する整地面とされているのがよい。
【発明の効果】
【０００７】
本発明によれば、左右一対の側板の前端側及び後端側を連結枠材で連結して構成された矩形状の枠体の上面側に、該枠体の開口を塞ぐように上板を設け、この上板をプラスチックの板材又は薄厚の金属板によって形成したので、カバー体の重量軽減を図ることができると共に、前記枠体の下面側に該枠体の開口を塞ぐように設けられた弾性カバーを、少なくとも前後一方の連結枠材と上板とによって支持したので、弾性カバーの上板に取り付けられた部分が振動することにより、該弾性カバーの上板への取付部分における土付着防止効果が大きい。
【発明を実施するための最良の形態】
【０００８】
以下、本発明の実施の形態を図面を参照して説明する。
図１において、１はロータリ耕耘機の機枠であり、２はこの機枠１の下部に設けられたロータリ耕耘部であり、３はこのロータリ耕耘部２の少なくとも外周側を覆うロータリカバーである。
機枠１は、図１及び図２に示すように、サイドドライブ式のロータリ耕耘機の機枠１であり、左右方向中央部のギヤケース４から左右両側にサポートアーム５を延出すると共に、左右各サポートアーム５の左右方向外端側に、該サポートアーム５から下方に延出状としてサイドフレーム６，７を設けてなる背面視門型状に形成されている。
【０００９】
前記サイドフレーム６，７は、板材から形成されていて板厚方向を左右方向としてロータリ耕耘部２の側方に配置されており、ロータリ耕耘部２の上部側の側方を覆っている。
また、左側サイドフレーム６の左右方向外面側には伝動ケースが設けられる。
ロータリ耕耘部２は、左右のサイドフレーム６，７の下部間に左右軸回りに回転自在に支架された爪軸８上に多数の耕耘爪９を取り付けてなる。
【００１０】
ギヤケース４には、ロータリ耕耘機をトラクタに装着した際に、トラクタのＰＩＣ軸にジョイント軸を介して連動連結されるＰＩＣ軸が設けられ、該ＰＩＣ軸を介してギヤケース４内の伝動機構に入力された動力は左側サポートアーム５内の伝動軸及び前記伝動ケース内の伝動機構を介して爪軸８に伝達されて耕耘爪９が矢示Ａ方向に回転駆動される。
ロータリカバー３は、図１〜図１２に示すように、ギヤケース４及び左右サポートアーム５の下方側に配置されていてロータリ耕耘部２の上方を覆うカバー体１１（これを上部カバー体という）と、この上部カバー体１１の後端側に左右方向の軸心廻りに回動自在に取り付けられていてロータリ耕耘部２の後方を覆うカバー体１２（これを後部カバー体という）と、ロータリ耕耘部２の左右の側方を覆う左右一対のカバー体１３（これを側部カバー体という）とを備えてなる。
【００１１】
上部カバー体１１及び後部カバー体１２は、枠体１４，１５と、この枠体１４，１５の上面側に設けられた上板１６，１７と、枠体１４，１５の下面側に設けられた弾性カバー１８，１９とから主構成され、左右の各側部カバー体１３は、機枠１のサイドフレーム６，７と、該サイドフレーム６，７の後方に配置されたリヤサイドカバー板２０とから主構成されている。
【００１２】
上部カバー体１１及び後部カバー体１２の枠体１４，１５は、板材から形成されていて板厚方向が左右方向とされ且つ前後に長い左右の側板１４Ａ，１５Ａと、この左右の側板１４Ａ，１５Ａの前部同士を連結する前側の連結枠材１４Ｂ，１５Ｂと、左右の側板１４Ａ，１５Ａの後部同士を連結する後側の連結枠材１４Ｃ，１５Ｃとから、左右側板１４Ａ，１５Ａ間（前後の連結枠材１４Ｂ，１４Ｃ，１５Ｂ，１５Ｃ間）が開口状とされた矩形枠状に形成されている。
【００１３】
先ず、上部カバー体１１の枠体１４について説明する。
上部カバー体１１の側板１４Ａは、サイドフレーム６，７上部の前端側から後端側にわたって設けられていると共に後端側がサイドフレーム６，７から後方に突出しており、且つ左右各側板１４Ａは左右方向で同じ側にあるサイドフレーム６，７の左右方向内方側に配置されてサイドフレーム６，７にボルト等によって固定されている。
【００１４】
上部カバー体１１の前後の連結枠材１４Ｂ，１４Ｃは、左右方向に長い帯板状のプレート２１Ｆ，２１Ｒと、このプレート２１Ｆ，２１Ｒの上面に固着された横長の横枠材２２Ｆ，２２Ｒとから主構成され、横枠材２２Ｆ，２２Ｒは上壁２３と、この上壁２３の前後端から下方側に延びる前後壁２４，２５と、前後壁２４，２５の下端から前後方向内方（対向内方）に延びる前後一対の下壁２６とから側面視で下側が開放状とされたＣ字状に形成されている。
【００１５】
前側の連結枠材１４Ｂの横枠材２２Ｆはその下壁２６がプレート２１Ｆの後部に固着され、後側の連結枠材１４Ｃの横枠材２２Ｒはその下壁２６がプレート２１Ｒの前部に固着されており（前側の連結枠材１４Ｂのプレート２１Ｆは横枠材２２Ｆから前方に延出状に設けられ、後側の連結枠材１４Ｃのプレート２１Ｒは横枠材２２Ｒから後方に延出状に設けられており）、前側の連結枠材１４Ｂは前下がり状に配置され、後側の連結枠材１４Ｃは後下がり状に配置されている。
【００１６】
前記横枠材２２Ｆ，２２Ｒ及びプレート２１Ｆ，２１Ｒは左右側板１４Ａ間にわたって設けられていて、左右両端が側板１４Ａに溶接等によって固定されている。
上部カバー体１１の、前側の連結枠材１４Ｂのプレート２１Ｆの前部下面、及び、後側の連結枠材１４Ｃのプレート２１Ｒの後部下面には、取付部材２７が溶接等によって固定されており、この取付部材２７は左右方向に間隔をおいて複数箇所（本実施の形態では１０カ所）設けられていて、該取付部材２７に弾性カバー１８が取り付けられて支持されている。
【００１７】
各取付部材２７は、図７に示すように、左右方向で対向状に配置された左右の側壁２７ａと、左右各側壁２７ａの上端から左右方向外方に延出された上壁２７ｂと、左右の側壁２７ａの下端同士を連結する下壁２７ｃとから主構成され、左右の上壁２７ｂが前記プレート２１Ｆ，２１Ｒに溶接等によって固定されている。
また、上部カバー体１１の左右の各側板１４Ａの外側面の後端側には後部カバー体１２を枢支するためのボス２８が固着されている。
【００１８】
次に、後部カバー体１２の枠体１５について説明する。
後部カバー体１２の左右の側板１５Ａは、左右方向で同じ側にある上部カバー体１１の側板１４Ａの後方側に配置されている。
後部カバー体１２の前後の連結枠材１５Ｂ，１５Ｃは左右方向に長い帯板材によって構成され、左右両側が側板１５Ａに溶接等によって固定されている。
【００１９】
前側の連結枠材１５Ｂの前部は側板１５Ａから前方に突出していると共に、前端側が下側に向けて折曲され、この折曲部分２９の前側に左右方向の軸心を有するパイプ材からなる左右一対の支軸３１が固着され、この左右支軸３１の左右方向外端側が上部カバー体１１のボス２８に左右方向の軸心回りに回動自在に支持されている。
左右の支軸３１は後部カバー体１２の左右方向中央側で左右方向に間隔をおいて設けられ、この左右の支軸３１間に接続部材３２が配置されており、この接続部材３２は支軸３１と同心状に配置された筒状の本体部３２ａを有し、この筒状の本体部３２ａと左右の支軸３１とにわたって枢軸３３が挿通されている。
【００２０】
また、接続部材３２には本体部から前方側に延びる取付壁３２ｂが設けられ、該取付壁３２ｂは上部カバー体１１の後側の連結枠材１４Ｃのプレート２１Ｒの後部上面に上板１６を介して重ね合わされてボルト固定されており、これによって、上部カバー体１１の左右方向中央部においても後部カバー体１２が左右方向の軸心回りに回動自在に支持されている。
【００２１】
また、後部カバー体１２の前側の連結枠材１５Ｂの下面の前後方向中途部には、前述した図７に示す取付部材２７と同様の取付部材２７が左右方向に間隔をおいて複数個（本実施の形態では１０個）設けられている。
後側の連結部材１５Ｃは、前後中途部において下方に向けて折曲され、この後側の連結部材１５Ｃの後部側下面が圃場に接地して整地する整地面３４とされている。
【００２２】
また、この後側の連結部材１５Ｃの後端側は、前方側に向けて折り返されていて側面視コ字形に形成されている。
上部カバー体１１及び後部カバー体１２の上板１６，１７は、繊維強化プラスチック（ＦＲＰ、ＦＲＴＰ）等のプラスチックからなる板材、又は薄厚の（板厚の薄い）金属板（薄厚鉄板等）等の可撓性、弾性を有する軽量の板材によって構成されていて、前記枠体１４，１５の開口を塞ぐように設けられている。
【００２３】
上部カバー体１１及び後部カバー体１２の上板１６，１７の前後方向中途部には、該上板１６，１７自体を下面側に向けて突出するように凹ませることによって形成された取付部３５が形成されており、この取付部３５は、上板１６，１７の上面側からみて前後に長い長円状の溝状であり、上板１６，１７の下面側からみて前後に長い長円状の突部に形成されており、左右方向に間隔をおいて複数箇所（本実施の形態では、１０箇所）設けられ、この取付部３５に弾性カバー１８，１９が取り付けられて支持されている。
【００２４】
上部カバー体１１の上板１６は、該上部カバー体１１の左右側板１４Ａ間にわたって且つ前側連結枠材１４Ｂの前端側から後側連結枠材１４Ｃの後端側にわたって設けられており、前後の連結枠材１４Ｂ，１４Ｃの横枠材２２Ｆ，２２Ｒ上面に重合すると共に、前側連結枠材１４Ｂのプレート２１Ｆの前部上面及び後側連結枠材１４Ｃのプレート２１Ｒの後部上面に重合するように折曲されている。
【００２５】
この上部カバー体１１の上板１６は、前端側が前側の連結枠材１４Ｂのプレート２１Ｆ前部に、後端側が後側の連結枠材１４Ｃのプレート２１Ｒ後部に左右方向複数箇所において取付固定されており、具体的には、該上板１６及びプレート２１Ｆ，２１Ｒを上方から貫通し且つ該プレート２１Ｆ，２１Ｒの下面に固着されたナット３６に螺合されるボルト３７によって取付固定されている。
【００２６】
後部カバー体１２の上板１７は、該後部カバー体１２の左右側板１５Ａ間にわたって且つ支軸３１の前端側から後側の連結枠材１５Ｃの後端側にわたって設けられている。
この後部カバー体１２の上板１７の前部側は、前側連結枠材１５Ｂの前部及び後部に左右方向複数箇所において取付固定されており、この上板１７の取付用のボルト３８は、上板１７及び前側連結枠材１５Ｂを上方から貫通し且つ前側連結枠材１５Ｂの下面に固着されたナット３９に螺合されている。
【００２７】
また、後部カバー体１２の上板１７の後部側は、後側連結枠材１５Ｃの前部側に左右方向複数箇所において取付固定されており、具体的には、該上板１７及び後側連結枠材１５Ｃを下方から貫通するトラス頭部を有するボルト４０と、該ボルト４０に螺合されるナット４１とによって締結固定されており、また、後部カバー体１２の上板１７の後端側は、後側の連結枠材１５Ｃの後端側の折返し部分４２に挿入されている。
【００２８】
上部カバー体１１及び後部カバー体１２の弾性カバー１８，１９は、ゴム板等の弾性板材によって形成され、本実施の形態では、上部カバー体１１の弾性カバー１８と後部カバー体１２の弾性カバー１９とは一枚の弾性板材によって一体形成されており、この一枚の弾性板材によって形成された弾性カバー１８，１９は、上部カバー体１１及び後部カバー体１２の左右側板１４Ａ，１５Ａ間にわたる幅で且つ上部カバー体１１の前側の連結枠材１４Ｂの前端側から後部カバー体１２の後側の連結枠材１５Ｃの前端側に至る長さに形成されていて、上部カバー体１１及び後部カバー体１２の枠体１４，１５の開口を塞ぐように配置されている。
【００２９】
また、弾性カバー１８，１９は、枠体１４，１５の各取付部材２７の下壁２７ｃ下面及び上板１６，１７の取付部３５の底壁３５ａ下面に重合され該取付部材２７及び取付部３５にボルト４３・ナット４４及び座金４５によって取付固定されている。
具体的には、取付部材２７に対する取付部分にあっては、座金４５は、中央部が弾性カバー１８，１９に形成された挿通孔４６を介して取付部材２７の下壁２７ｃ下面に接当し且つ外周部が弾性カバー１８，１９の下面に接当し、ボルト４３は座金４５の中央部及び取付部材２７の下壁２７ｃを貫通して、取付部材２７の下壁２７ｃの上面に固着されたナット４４に螺合している。
【００３０】
また、上板１６，１７の取付部３５に対する取付部分にあっては、座金４５は、中央部が弾性カバー１８，１９に形成された挿通孔４６を介して取付部３５の底壁３５ａ下面に接当し且つ外周部が弾性カバー１８，１９の下面に接当し、ボルト４３は座金４５の中央部及び取付部３５の底壁３５ａを貫通して、取付部３５の底壁３５ａ上面側に配置されたナット４４に螺合しており、ボルト４３・ナット及び座金４５は１つの取付部３５に対して前後一対設けられている。
【００３１】
前記取付部材２７はプレート２１Ｆ，２１Ｒから下方に突出状とされ、取付部３５は上板１６，１７のその他の部分（本体部分の下面）から下方に突出状とされているので、上板１６，１７と弾性カバー１８，１９との間に空間が形成されている。
また、前記各取付部３５の上面側には、上面側の開口を塞ぐ蓋部材４８が設けられ、この蓋部材４８の下面側には、ナット４４に嵌合することで蓋部材４８を保持する筒状の嵌合部４９が形成されている。
【００３２】
また、上部カバー体１１の上面側の左右方向中央側には、枠体１４の前後の連結枠材１４Ｂ，１４Ｃを連結するステー５０が左右一対設けられている。
このステー５０は、板材から構成され、前後部分が横枠材２２Ｆ，２２Ｒの上壁２３に上板１６を挟んで重ね合わされ、ステー５０，上板１６及び横枠材上壁２３を貫通して、横枠材２２Ｆ，２２Ｒの上壁２３下面に固着されたナット５１に螺合するボルト５２によって前後の横枠材２２Ｆ，２２Ｒに取付固定されている。
【００３３】
また、このステー５０の上面側の前後方向中途部には取付板５３が固着され、この取付板５３はサポートアーム５に固着されたブラケット板５４にボルト固定されている。
また、後部カバー体１２の上面側の左右方向中央側には、枠体１５の前後の連結枠材１５Ｂ，１５Ｃを連結するブラケット５５が左右一対設けられている。
このブラケット５５は、左右の側壁部５６と、左右の側壁５６を連結する連結壁部５７と、左右側壁部５６の下端側に固着された前後一対の取付プレート５８とを備え、連結壁部５７は側壁部５６から前後に突出しており、側壁部５６から前方に突出する連結壁部５７の前側部分は上板１７上に重ね合わされて前側連結枠材１５Ｂ，上板１７及び連結壁部５７を上方側から貫通するボルト３８及び該ボルト３８に螺合されるナット３９によって取付固定され、側壁部５６から後方に突出する連結壁部５７の後側部分は上板１７上に重ね合わされて後側連結枠材１５Ｃ，上板１７及び連結壁部５７を下方側から貫通するボルト５９及び該ボルト５９に螺合されるナット６０によって取付固定されている。
【００３４】
前側の取付プレート５８は前側連結枠材１５Ｂの後部に上板１７を介して重ね合わされていると共に、左右の側壁部５６から左右方向外方に延出されており、この側壁部５６から延出する取付プレート５８の延出部分は、取付プレート５８，上板１７及び前側連結枠材１５Ｂを上方側から貫通するボルト３８及び該ボルト３８に螺合されるナット３９によって取付固定されており、また、後側の取付プレート５８は後側連結枠材１５Ｃの前部に上板１７を介して重ね合わされていると共に、左右の側壁部５６から左右方向外方に延出されており、この側壁部５６から延出する取付プレート５８の延出部分は後側連結枠材１５Ｃ，上板１７及び取付プレート５８を下方側から貫通するボルト４０及び該ボルト４０に螺合されるナット４１によって取付固定されている。
【００３５】
また、このブラケット５５の左右の側壁部５６の前部側は上方に向けて延出されており、この延出部分６３とサポートアーム５に固着されたブラケット６４とにわたって、耕耘時において土からの反力による後部カバー体１２の浮き上がりを弾性的に抑える図示省略の弾下装置が設けられる。
また、前記弾下装置は、図１に示す上方に持ち上げた位置（又はこれよりも高い位置）に後部カバー体１２を保持することができる。
【００３６】
耕耘時にあっては、後部カバー体１２の後側連結枠材１５Ｃの下面後部側（整地面３４）が接地すると共に、前記弾下装置によって後部カバー体１２が抑えられ、耕耘爪９によって耕起されて後方及び上方に放てきされた土は弾性カバー１８，１９に衝当して砕土される。
このとき弾性カバー１８，１９が振動することにより、ロータリカバー３内面側への土付着が防止され、弾性カバー１８，１９の上板１６，１７への取付部分にあっても、上板１６，１７が振動することにより弾性カバー１８，１９への土付着が好適に防止される。
【００３７】
前記構成のロータリカバー３にあっては、上部カバー体１１及び／又は後部カバー体１２を、矩形状の枠体１４，１５と、この枠体１４，１５の上面側に設けられる上板１６，１７と、枠体１４，１５の下面側に設けられる弾性カバー１８，１９とによって主構成しており、強度のいる部分を矩形状の枠体１４，１５とし、比較的強度の必要としない上板１６，１７をプラスチック又は薄厚の金属板によって構成することにより、ロータリカバー３の軽量化が図れると共に、上板１６，１７が振動することにより、弾性カバー１８，１９の上板１６，１７への取付部分においての土付着防止も良好に行える。
【００３８】
また、本実施形態の後部カバー体１２にあっては、軽量化が図られているが、後部カバー体１２を軽量化すると、その軽くなった分、耕耘時において、後部カバー体１２の重量による該後部カバー体１２の浮き上がり規制効果がおちることとなる。
そこで、図１３に示すように、この軽量化した後部カバー体１２に、該後部カバー体１２を下方側に付勢するバネ部材６６を設けるのがよい。
【００３９】
バネ部材６６は、左右一対設けられていて左右のブラケット５５の取付位置にそれぞれ配置されていると共に、左右のブラケット５５の側壁部５６間の寸法の幅の帯板状の板バネによって構成され、一端側（前端側）が、上部カバー体１１の後側連結枠材１４Ｃの後端側に取付固定された支持部材６７に枢軸６８を介して左右方向の軸心回りに回動自在に枢支連結されている。
【００４０】
前記枢軸６８は、後部カバー体１２を支持する支軸３１の前上方側で且つ支軸３１の近傍位置に位置している。
また、バネ部材６６の他端側（後端側）は、後部カバー体１２の後端側に設けられた係止部材６９に係止されている。
図１４にも示すように、前記係止部材６９は棒材を折曲して形成されていて、直線状の支持部６９ａと該支持部６９ａから延出されたコ字形の把持部６９ｂとを有する。
【００４１】
一方、前記ブラケット５５の左右各側壁部５６の後端側には厚さ方向が左右方向とされて配置された係止壁７０が設けられ、左右各係止壁７０には係合溝７１が左右方向貫通状に形成され、この左右の係合溝７１にわたって係止部材６９の支持部６９ａが挿通されている。
係合溝７１は、後部カバー体１２の長手方向（前後方向）に関して長い直線状の長溝部７１ａと、この長溝部７１ａの前端側に形成された係止溝部７１ｂとから構成されている。
【００４２】
バネ部材６６の他端側は係止部材６９の支持部６９ａの左右側壁部５６間の部分に巻き付けられてピンで固定されている。
前記構成のものにあっては、係止部材６９の支持部６９ａを係合溝７１の係止溝部７１ｂに嵌合させた場合にあっては、図１３に示すように、後部カバー体１２が吊り下げられた状態（矢示Ｂで示す位置）であるときの枢軸６８と支持部６９ａとの距離Ｌ１よりも、後部カバー体１２が耕耘時位置よりも上方に持ち上げられた状態（矢示Ｃで示す位置）であるときの枢軸６８と支持部６９ａとの距離Ｌ２が小となるように構成されており、後部カバー体１２がＢ位置から上方に揺動するとバネ部材６６に座屈力がかかって該バネ部材６６が弾性変形し、このバネ部材６６の弾性復元力によって後部カバー体１２を加圧する（後部カバー体１２を下方側に揺動させる方向に付勢する）ことが可能とされている。
【００４３】
また、本実施の形態では、バネ部材６６は湾曲状に形成されていて、支持部６９ａを係止溝部７１ｂに嵌合し且つ後部カバー体１２を矢示Ｂ位置とした状態では、バネ部材６６は弾性変形していない状態であり、耕耘時にあっては、後部カバー体１２は、Ｂ位置とＣ位置との間に位置しており、バネ部材６６の付勢力によって整地面３４の接地圧が高められるようになっている。
【００４４】
また、支持部６９ａを係止溝部７１ｂから外すと、後部カバー体１２が上下に揺動しても支持部６９ａは長溝部７１ａ内を摺動するだけであり、バネ部材６６が弾性変形しないようになっており、後部カバー体１２を下方側に揺動させる方向のバネ部材６６による付勢を解除することができるように構成されている。
したがって、バネ部材６６のバネ力をきかさないことにより、ロータリ耕耘部２を点検すべく、後部カバー体１２を上方に持ち上げるとき等において、後部カバー体１２の持ち上げ力を軽くすることができる。
【００４５】
なお、本実施の形態では、後部カバー体１２をＣ位置とした状態で且つ支持部６９ａが係止溝部７１ｂから外れた状態では、支持部６９ａは係合溝７１の長溝部７１ａの後端側に位置する。
また、バネ部材６６の付勢力は、後部カバー体１２が軽くなった分の重量に略相当する力に設定するのが好ましく、また、バネ部材６６の付勢力は、耕耘時における後部カバー体１２の揺動範囲で略一定となるように構成するのが好ましい。
【図面の簡単な説明】
【００４６】
【図１】ロータリ耕耘機の側面図である。
【図２】ロータリカバーの平面図である。
【図３】上部カバー体の側面断面図である。
【図４】上部カバー体の前部、中途部及び後部の拡大側面断面図である。
【図５】上部カバー体の枠体の平面図である。
【図６】上部カバー体の上板の平面図である。
【図７】弾性カバー体の取付部分の正面断面図である。
【図８】後部カバー体の側面断面図である。
【図９】後部カバー体の前部、中途部及び後部の拡大側面断面図である。
【図１０】後部カバー体の枠体の平面図である。
【図１１】後部カバー体の上板の平面図である。
【図１２】弾性カバーの平面図である。
【図１３】バネ部材を備えたロータリカバーの側面図である。
【図１４】バネ部材の後側取付部分であって、（ａ）はＤ矢示図、（ｂ）は側面断面図である。
【符号の説明】
【００４７】
２    ロータリ耕耘部
１４    枠体
１４Ａ  側板
１４Ｂ  前側連結枠材
１４Ｃ  後側連結枠材
１５    枠体
１５Ａ  側板
１５Ｂ  前側連結枠材
１５Ｃ  後側連結枠材
１６    上板
１７    上板
１８    弾性カバー
１９    弾性カバー
３４    整地面
３５    取付部
３５ａ  底壁
【図１】
0004463184.tif 000002
【図２】
0004463184.tif 000003
【図３】
0004463184.tif 000004
【図４】
0004463184.tif 000005
【図５】
0004463184.tif 000006
【図６】
0004463184.tif 000007
【図７】
0004463184.tif 000008
【図８】
0004463184.tif 000009
【図９】
0004463184.tif 000010
【図１０】
0004463184.tif 000011
【図１１】
0004463184.tif 000012
【図１２】
0004463184.tif 000013
【図１３】
0004463184.tif 000014
【図１４】
0004463184.tif 000015